(57)【要約】【課題】外部からＬＥＤ発光部を覗き見たとしても、内部の蛍光体含有部（１２）の着色が観視しにくくすることで、ＬＥＤ発光装置（１）およびそれを搭載した携帯電話機（１００）の美観を損なわないようにする。【解決手段】ＬＥＤ発光部（１０）の前面にレンズ（２０）を設ける。レンズ（２０）のＬＥＤ発光部（１０）と対向する入光面（２１）に多数のコーナーキューブプリズム（３０）を設ける。レンズ（２０）の出射面（２５）からレンズ（２０）を通してＬＥＤ発光部（１０）を観たときには、コーナーキューブプリズム（３０）により反射し、蛍光体含有部（１２）が観察され難くなる。一方、ＬＥＤ発光部（１０）から照射した光は、コーナーキューブプリズム（３０）から入射し、出射面（２５）から出射して照明する。【選択図】図４
2012169507.tif 000002
【特許請求の範囲】
【請求項１】
基板と、
前記基板上に配置されるＬＥＤ発光部と、
前記ＬＥＤ発光部の上に配置される樹脂レンズと、
前記ＬＥＤ発光部とレンズの間であって、前記レンズに接する空気層と、を備え、
前記ＬＥＤ発光部には蛍光体を添加した封止樹脂部が形成され、
前記レンズには、前記ＬＥＤ発光部の上面と対向する位置に、前記ＬＥＤ発光部上面の投影面積よりも大きな投影面積を有する入光面と、入光面に連続する傾斜面を有し、
前記入光面は、コーナーキューブアレイの凹凸面を有し、
前記傾斜面は、前記ＬＥＤ発光部の発光中心軸を通る平面と鋭角に交差する接線を有する反射面を備えることを特徴とするＬＥＤ発光装置。
【請求項２】
請求項１記載のＬＥＤ発光装置であって、
ＬＥＤ発光装置は、前記コーナーキューブアレイは、三つの面からなり互いに二つ面が直角を成しているコーナーキューブプリズムが整列しており、
前記レンズの反射面は、空気層に接しており、複数の楕円面系の多数を接続した曲面であることを特徴とするＬＥＤ発光装置。
【請求項３】
請求項１または請求項２のいずれかに記載のＬＥＤ発光装置を搭載した電子機器であって、
前記レンズには、前記入光面と対向する平坦出射面を有し、
前記電子機器は開口部を備え、当該開口部に前記レンズが嵌合していることを特徴とする照明付き電子機器。
【発明の詳細な説明】
【技術分野】
【０００１】
本発明は、発光源に発光ダイオード（以下、ＬＥＤという。）などの発光素子を用いた発光装置、特に、携帯電話用カメラやデジタルカメラおよびコンパクトカメラなどの電子機器に搭載した小型撮影機器のカメラ照明用に搭載された発光装置に関する。
【背景技術】
【０００２】
従来から、コンパクトカメラなどの撮影機器には、ストロボなどの発光装置が備えられている。近年では、携帯電話機のカメラ照明用およびストロボ光源としてＬＥＤが用いられている。このＬＥＤが発光素子として搭載された発光装置は、例えば特許文献１に開示されている。
【０００３】
図１０および図１１は、特許文献１に記載の発光装置を示すものである。特許文献１の発光装置１００は、基板２００と、基板２００上に配置されたＬＥＤチップ３００と、リフレクタ４００が一体に構成されたレンズ保持部６００とレンズ５００とを備える。
【０００４】
ＬＥＤチップ３００は、図１１に示すように凹面状反射鏡３８０を有する第２のＬＥＤパッケージ３７０と、その凹面状反射鏡の上に設けた回路基板３１０と、回路基板３１０の照射方向側の表面（上側）に搭載した青色の発光素子３２０および第１のＬＥＤパッケージ３５０と、回路基板裏面（下側）に搭載し凹面状反射鏡に対向する赤色の発光素子３３０を有する。青色の発光素子３２０は、ＹＡＧ蛍光体を含有する蛍光体塗布領域３６０にて覆われている。また、回路基板には開口部３９０を設け、赤色の発光素子３３０から発した光は凹面状反射鏡３８０にて反射し、開口部３９０から青色の発光素子側に導く。これにより、青色の発光素子からの光と、青色の発光素子を吸収し黄色の光を発光する蛍光体塗布領域からの光の混色による白色発光に、さらに、赤色発光素子の光を混合して照射することができる。赤色発光の光を青みを帯びた照射面に照射することで、照射面全体の色温度や色ムラを改善することを記載している。
【先行技術文献】
【特許文献】
【０００５】
【特許文献１】特開２０１０−１９２５８２号公報
【発明の概要】
【発明が解決しようとする課題】
【０００６】
しかしながら、青色発光素子から発せられた光と蛍光体塗布領域からの光の混色により得られる白色光による照射面の色ムラは改善されるものの、上記したＬＥＤ発光装置は、周囲光によって黄色に見える。この黄色は、蛍光体塗布領域の蛍光体の色であり、デジタルカメラや携帯電話機の本体ケースのデザインによっては、本体ケースの色とＬＥＤ発光装置の黄色（蛍光体色）の色がミスマッチなため、外観上見栄えが悪く、美観を損ねることがある。
【０００７】
本発明は、上記従来の問題を解決するもので、封止樹脂部に蛍光体を含有させた白色発光可能なＬＥＤ発光装置において、この封止樹脂部の着色によってＬＥＤ発光装置全体の美観が損なわれないＬＥＤ発光装置およびこの発光装置がカメラ照明用に搭載された電子機器を、提供することを目的とする。
【課題を解決するための手段】
【０００８】
上記目的を達成するため、本発明のＬＥＤ発光装置は、次の点を最も主要な特徴とする
基板（１３）と、
前記基板（１３）上に配置されるＬＥＤ発光部（１０）と、
前記ＬＥＤ発光部（１０）の上に配置される樹脂レンズ（２０）と、
前記ＬＥＤ発光部（１０）とレンズ（２０）の間であって、前記レンズ（２０）に接する空気層（１６）と、を備え、
前記ＬＥＤ発光部（１０）には蛍光体を添加した封止樹脂部（１２）が形成され、
前記レンズには、前記ＬＥＤ発光部（１０）の上面（１４）と対向する位置に、前記ＬＥＤ発光部上面（１４）の投影面積よりも大きな投影面積を有する入光面（２１）と、入光面（２１）に連続する傾斜面（２３）を有し、
前記入光面（２１）は、コーナーキューブアレイ（２２）の凹凸面を有し、
前記傾斜面（２３）は、前記ＬＥＤ発光部（１０）の発光中心軸を通る平面と鋭角に交差する接線を有する反射面（２４）を備える。
【０００９】
上記した発明によれば、ＬＥＤ発光部からの照射光を照射すると共に、外部から封止樹脂を観察され難くして封止樹脂部の着色によって美観が損なわれないＬＥＤ発光装置を提供することができるという効果が得られる。
【００１０】
また、ＬＥＤ発光装置（１）は、前記コーナーキューブアレイ（２２）は、三つの面からなり互いに二つ面が直角を成しているコーナーキューブプリズム（３０）が整列しており、
前記レンズ（２０）の反射面（２４）は、空気層に接しており、複数の楕円面系の多数を接続した曲面であることを特徴とする。
【００１１】
この発明によれば、整列したコーナーキューブプリズムの何れかの面から入射した光の一部を反射面にて所望の方向に再反射することができ、ＬＥＤ発光部から照射された光の利用効率を高めることができる、という利点がある。
【００１２】
本発明の照明付き電子機器は、上記したいずれかのＬＥＤ発光装置（１）を搭載した電子機器（１００）であって、前記レンズ（２０）には、前記入光面（２１）と対向する平坦出射面（２５）を有し、前記電子機器（１００）は開口部（１０４）を備え、当該開口部（１０４）に前記レンズ（２０）が嵌合していることを特徴とする。
【００１３】
この発明によれば、外部からＬＥＤ発光装置を観察しても、レンズを介して封止樹脂を観察され難くして、封止樹脂部の着色により電子機器全体の美観が損なわれることがない電子機器を提供することができるという、という利点がある。
【発明の効果】
【００１４】
本発明によれば、ＬＥＤ発光部からの照射光を照射すると共に、外部から封止樹脂を観察され難くすることができるという効果が得られる。
【図面の簡単な説明】
【００１５】
【図１】図１は第１の実施の形態のＬＥＤ発光装置を設けた電子機器の一例を示す携帯電話機の概略正面図および背面図である。
【図２】図２は図１のＬＥＤ発光装置を用いたカメラ用照明を示す概略斜視図である。
【図３】図３は図１の携帯電話機にＬＥＤ発光装置が取付られた状態を示す概略断面図である。
【図４】図４は図１のＬＥＤ発光装置を説明する概略断面図である。
【図５】図５はコーナキューブアレイの一部を面実装ＬＥＤ側から見た概略斜視図である。
【図６】図６はコーナキューブプリズムを拡大して説明する概略斜視図である。
【図７】図７は、面実装ＬＥＤから出射した光線についてシュミュレーションを行なったときの光路を示す説明図である。
【図８】図８は、シュミレーションに用いた面実装ＬＥＤの指向特性を示す配光パターンを示す図である。
【図９】図９は、他の実施の形態のＬＥＤ発光装置を示す概略断面図である。
【図１０】従来の発光装置の説明図で、（ａ）は概略正面図、（ｂ）は概略断面図である。
【図１１】従来のＬＥＤの説明図で、（ａ）は概略正面図、（ｂ）は概略断面図である。
【発明を実施するための形態】
【００１６】
以下、本発明の一実施形態である灯具について図１〜図９を参照しながら説明する。
【００１７】
図１は本発明のＬＥＤ発光装置を設けた電子機器の一例を示す携帯電話機の概略正面図および背面図、図２は図１のＬＥＤ発光装置を用いたカメラ用照明を示す概略斜視図。図３は図１の携帯電話機にＬＥＤ発光装置が取付られた状態を示す概略断面図である。
【００１８】
本発明に係るＬＥＤ発光装置１は、例えば携帯電話機１００のカメラ１０２を用いた撮影の際に用いるカメラ用照明１０１として用いる。図１に示すように携帯電話機１００は、表側に液晶表示装置などからなる表示部と数字キー等の操作ボタン部を備え、背面側にカメラ１０２とカメラ用照明１０１を備える。カメラ用照明１０１は、カメラのレンズ周囲、特にカメラ１０２のレンズの斜め上方に横長に設ける。
【００１９】
カメラ用照明１０１は、図２及び図３に示すように透明な樹脂材料により形成されるレンズ２０を備えたＬＥＤ発光装置１０およびＬＥＤ発光装置をストロボ光源として瞬時点灯および／または照明用光源として連続点灯する点灯制御回路４０からなる。点灯制御回路４０は、ＬＥＤ発光装置１０の実装基板１３の裏面に近接して設けられる。
【００２０】
図４は、ＬＥＤ発光装置１を説明する概略断面図である。
【００２１】
ＬＥＤ発光装置１は、図示しない配線電極が設けられた実装基板１３と、実装基板１３上に搭載し、図示しない配線電極に接続された面実装ＬＥＤ１０と、実装基板１３に取付固定したレンズ２０からなり、レンズ２０と実装基板１３の間に形成された光源室１５内に面実装ＬＥＤ１０が位置している。また、本実施の態様においては、レンズ２０の面実装ＬＥＤ１０に対向する入射面２１には、後述するコーナーキューブアレイ２２が設けられている。ＬＥＤ発光装置１は、携帯電話機１００の本体ケース１０３のケース開口１０４に嵌合している。
【００２２】
実装基板１３は、矩形形状とされ、ガラスエポキシ樹脂等を用いたプリント基板、金属基板を絶縁層にて被覆した金属基板、セラミック基板などが使用され、実装基板１３表面には金属配線をメッキにより設けるなどの公知の方法で図示しない配線電極が形成されている。配線電極は、一方の端部が面実装ＬＥＤ１０にハンダなどを用いて電気的に接続され、他方の端部がＬＥＤ発光装置１の外方まで形成され、点灯制御回路４０に電気的に接続されている。
【００２３】
実装基板１３の中央部に面実装ＬＥＤ１０が実装され、実装基板の周辺部には、絶縁性の着色絶縁膜１３ａが施され、着色絶縁膜１３ａは、光源室１５内に漏れでた迷光を反射すると共に観察者がＬＥＤ発光装置１を観察した際に、本体ケース１０３の着色とデザイン的なミスマッチを生じない色に着色している。着色絶縁膜１３ａは好適には白色とし、ガラスビーズなどを混合した拡散反射膜とする。白色拡散反射膜１３ａを設けることで、迷光となった光をレンズ２０を介してＬＥＤ発光装置１外部に取り出すことができる。なお、迷光とは、面実装ＬＥＤ１０からの照射光が、レンズ２０に入射する際にその一部が表面反射またはレンズ２０内面反射により、レンズ出射面２５から照射することなく実装基板１３もしくは面実装ＬＥＤ１０に向かって反射およびまたは屈折してきた光の成分をいい、例えば図４に示すＬ４のような光をいう。本実施の形態においては、コーナーキューブアレイ２２を形成しているので、面実装ＬＥＤ１０からの照射角度、例えば左端からコーナーキューブアレイ２２の右端へ向かう際の照射角度などの場合には、一部の光が迷光となり易い。そこで、白色拡散反射膜１３ａを設けることで、これらの光を更に外部に取り出して利用することができる。なお、白色拡散反射膜１３ａの代わりに、金属基板を用いた場合における基板金属の金属表面や、白色セラミック基板を用いた場合のセラミック基板表面を反射膜とすることもできる。
【００２４】
面実装ＬＥＤ１０は、表面に蛍光体含有部１２を有する面実装タイプのＬＥＤであり、蛍光体含有部１２と搭載基板との間に図示しない青色発光ダイオードなどの蛍光体塗布部１２に含まれる蛍光体を励起する波長光を発する半導体発光素子を備える。本実施の形態においては表面にドーム状の蛍光体含有部１２を形成している。蛍光体含有部１２は、シリコーン樹脂などの透明樹脂材料中に、ＹＡＧ蛍光体などの有色の蛍光体粒子を分散して表面に塗布、成形もしくはディスペンサーを用いたポッティングなどの手法で形成している。面実装ＬＥＤ１０は、最表面に蛍光体含有部１２を設けることに限るものではない。例えば、面実装ＬＥＤとして上記した特許文献１に記載のＬＥＤ３００を用いることができ、蛍光体含有部１２を透明樹脂層で覆う構成でも良い。
【００２５】
レンズ２０は、アクリル、ポリカーボネートなどの高い透過率を示す透光性の樹脂材料により形成され、例えば射出成形により形成される。レンズ２０は正面視を矩形形状とした箱状とされ、周囲側面の固定脚２７が実装基板１３に取付固定されている。レンズ２０の表面側には段差部２６が形成され、段差部２６および上段の出射面２５がケース開口１０４に嵌合した状態にて本体ケース１０３が取付けられる。
【００２６】
出射面２５の反対側、すなわちレンズ内面側には、コーナーキューブアレイ２２を設けた入光面２１および傾斜面２３が形成されており、入光面２１は面実装ＬＥＤ１０に対向している。入光面２１に対向する面実装ＬＥＤ１０の発光中心軸ＣＬと直交する仮想平面上にコーナキューブアレイ２２が位置している。なお、本実施の形態では一つのＬＥＤ発光装置に一つの面実装ＬＥＤ１０を設けた例にて説明し、面実装ＬＥＤ１０の発光中心軸ＣＬと面実装ＬＥＤ１０の中心軸が一致しているが、一つのＬＥＤ発光装置に複数の面実装ＬＥＤを配置した場合には、複数の面実装ＬＥＤの中心軸ＣＬが存在する。本実施の形態では、入光面２１に対向する面実装ＬＥＤ１０の発光中心軸ＣＬが、ＬＥＤ発光装置１の配光パターンの中心軸となる。
【００２７】
光源室１５は、空気により満たされている。入光面２１と面実装ＬＥＤ１０の間には空気層１６が存在し、空気層１６はコーナーキューブアレイ２２表面および面実装ＬＥＤ１０の出射面と接している。
【００２８】
図５はコーナキューブアレイ２２の一部を面実装ＬＥＤ１０側から見た概略斜視図、図６はコーナキューブプリズムを拡大して説明する概略斜視図である。コーナーキューブアレイ２２は、図５に示すようにマトリクス状に整列したコーナーキューブプリズム３０からなる。図５において、一つのコーナーキューブプリズム３０にのみ符号を付し、そのコーナーキューブプリズム３０の底辺、すなわち谷となる辺を通る直線に符号２２ａ、２２ｂおよび２２ｃを付している。谷部を示す直線２２ａ、２２ｂおよび２２ｃは交差角６０度で交差する。コーナーキューブプリズム３０の頂点３０ｄは、直線２２ａ、２２ｂおよび２２ｃよりも面実装ＬＥＤ１０側に突出している。
【００２９】
図６は、図５のコーナーキューブプリズム３０について再帰反射の光路の一例を説明するための概略斜視図である。図面左側の頂点が面実装ＬＥＤ１０側に突出している部分となる。コーナーキューブプリズム３０は、直線２２ａ、２２ｂおよび２２ｃにて形成される正三角形を底辺とした三角錐形状をなす。三角錐を構成する頂角を中心とした三つの面は隣接するプリズム面と直交する。すなわち第１プリズム面３１は、第２プリズム面３２および第３プリズム面３３の夫々の平面と直交する。第２プリズム面３２は、第１プリズム面３１および第３プリズム面３３の夫々の平面と直交する。第３プリズム面３３は、第１プリズム面３１および第２プリズム面３２の夫々の平面と直交する。すなわち、頂点３０ｄを中心とした直方体のコーナーに相当する。また、コーナーキューブプリズム３０の各々のプリズム面３１，３２，３３の全てが、面実装ＬＥＤ１０との間の空気層１６と接している。
【００３０】
例えば図４に示す外光Ｏがレンズ２０に入射したとき、外光Ｏはレンズ２０内を進んでコーナキューブアレイ２２に向かって進む。直線２２ａ、２２ｂおよび２２ｃからなる正三角形を通って外光Ｏは第１プリズム面３１に向かって進行する。第１プリズム面３１にて内面反射した後、第２プリズム面３２に向かって反射する。第２プリズム面３２にて２度目の内面反射をした後に、第３プリズム面３３に向かって反射する。次に第３プリズム面３３にて３度目の内面反射をした後に、入射してきたときの外光Ｏと同一方向に向かって進んで、レンズ２０の出射面２５から外部に出射する。コーナーキューブプリズム３０の夫々の頂点を通る中心軸は、前記発光中心軸ＣＬと平行とされる。
【００３１】
したがって、外側からＬＥＤ発光装置１を観察した場合、すなわち出射面２５の真上側から覗き込んだとしても、コーナーキューブプリズムの再帰性反射特性により面実装ＬＥＤ１０は見えない。また、斜め方向から観察した場合においても、コーナーキューブプリズムの再帰性反射特性により面実装ＬＥＤ１０が見えにくくなる。すなわち、蛍光体含有部１２の着色が殆ど観察されなくなる。
【００３２】
面実装ＬＥＤ１０は、電球と異なり一般に指向性を有する（図８参照）。そこで本実施の形態においては、入光面２１は面実装ＬＥＤ出射面１４の近傍で、かつ、面実装ＬＥＤ出射面１４から拡がった光を補足できるようにしている。具体的には、コーナーキューブアレイ２２を形成した入光面２１の投影面積は、面実装ＬＥＤ出射面１４に比べて大きなものとされている。また、本実施の形態においては入光面２１全体にコーナーキューブアレイ２２を形成している。
【００３３】
傾斜面２３は、入光面２１に連続して形成され、発光中心軸ＣＬを回転中心とした回転放物面に近似する自由曲面である。傾斜面２３には反射面２４が形成してある。反射面２４は、面実装ＬＥＤ１０の中心点から出射した光が、コーナーキューブプリズム３０に入射し、プリズム面３１，３２，３３の何れかのプリズム面から入射した光がレンズ２０内を通って、傾斜面２３に到達する位置に形成され、光源室１５を満たす空気と傾斜面２３を構成する樹脂材料との屈折率差を利用した反射面としている。反射面２４に入射する光線が臨界角を超えた入射した際に、光源室１５との界面にて反射して、所定方向に反射する。
【００３４】
反射面２４は、微小に分割した複合反射面として設計する。反射面２４は、レンズ２０を成形するための金型加工および成形の精度およびコストを考慮して複合反射面をスプライン曲線などの公知の曲線で近似した曲線からなる自由曲面として傾斜面２３を形成する。傾斜面２３の接線は、発光中心軸ＣＬを通る平面と交差し、その交差角度が鋭角となるような傾きとする。したがって、傾斜面２３は、おおよそドーム状をなす。
【００３５】
次に、面実装ＬＥＤ１０を点灯した場合における照射光について考察する。
【００３６】
図４にて点線で示す光線Ｌ１および光線Ｌ２は、面実装ＬＥＤ１０から出射した光がコーナーキューブプリズム３０に入射した後に反射面２４にて反射する概略の光路を示す。図７は、面実装ＬＥＤ１０から出射した光の一部は、空気層１６を通ってコーナーキューブアレイ２２に向かって進む光線についてシュミュレーションを行なったときの光路を示す説明図である。なお、図７のシュミレーションであり、面実装ＬＥＤの出射面２５は、平坦面としてシュミレーションを行なっており、出射面２５から出射する光線を直線にて示している。図８は、シュミレーションに用いた面実装ＬＥＤ１０の指向特性を示す配光パターンである。
【００３７】
図７および図８からわかるように、面実装ＬＥＤから出射した光は、ほぼ全てが入光面２１からレンズ２０内に進む。コーナーキューブプリズム３０の各々のプリズム面３１，３２，３３の何れかのプリズム面からレンズ２０内に入射する。レンズ２０内に入射した光の一部は、直接に出射面２５に向かって進み、一部は傾斜面２３に向かって進む。傾斜面２３に向かった光一部は、光線Ｌ１およびＬ２のように反射面２４にて内面反射した後に出射面２５に向かって進み、一部は光線Ｌ３およびＬ５のように傾斜面２３から光源室１５内に向かって出射する。また、面実装ＬＥＤ１０から出射した光の一部は光線Ｌ４およびＬ６のようにレンズ２０に入射することなく光源室１５内に向かって進む。図７に示したように、面実装ＬＥＤ１０から出射した光線の大多数が出射面２５から出射する。光源室１５内に向かった光線Ｌ３，Ｌ４、Ｌ５およびＬ６は、迷光であり、実装基板１３の白色塗装１３ａにて反射した後に、レンズ２０内に入射し、その一部は、出射面２５から出射する。
【００３８】
上記したように、ＬＥＤ発光装置１を図３のように出射面２５を通して外部正面方向から観察した場合には、コーナーキューブアレイ２２にて再帰性反射特性により面実装ＬＥＤ１０の蛍光体含有部１１が観察されない。観察方向を正面から斜め方向にしたときには、コーナーキューブプリズム３０の頂角の設定角度によっては、蛍光体含有部１１の一部が観察される角度も生じ得るが、再帰性反射特性により蛍光体含有部１１は殆ど観察されないか、または観察されにくくなる。一方、面実装ＬＥＤ１０が点灯した場合には、プリズム面３１，３２，３３が入射面として機能する。プリズム面３１，３２，３３および反射面２４の形状を最適化することで所望の配光を得ることができる。また、出射面２５にプリズム素子を設けることもできる。
【００３９】
以上の結果、本発明に係るＬＥＤ発光装置によれば、外部から蛍光体含有部１１を観察され難くすることができるという効果が得られる。
【００４０】
上記実施形態はあらゆる点で単なる例示にすぎない。これらの記載によって本発明は限定的に解釈されるものではない。例えば、図９に示すようにレンズ２０の一部、例えばコーナーキューブアレイ２２の部分を別体に作成して貼付したり、紫外線硬化樹脂により作成しても良い。紫外線硬化樹脂層５０とすることで、微細な金型を用いることなくスタンパを用いてコーナーキューブアレイ２２の形状を転写することができる。また、固定脚２７を別体とした形状のレンズ２０も本発明に包含される。
【産業上の利用可能性】
【００４１】
本発明に係る発光装置は、発光源に発光ダイオード（以下、ＬＥＤという。）などの発光素子を用いた発光装置、特に、携帯電話用カメラ、携帯型ゲーム機器、デジタルカメラ、Ｗｅｂカメラ、ドアホンカメラおよびテレビジョン電話用カメラなどの電子機器に搭載した小型撮影機器のカメラ照明用に搭載された発光装置等の用途にも適用できる。
【００４２】
１    ＬＥＤ発光装置
１０    面実装ＬＥＤ
１１    封止樹脂部
１２    蛍光体含有部
１３    実装基板
１４    面実装ＬＥＤ出射面
１５    光源室
１６    空気層
２０    レンズ
２１    入光面
２２    コーナキューブアレイ
２３    傾斜面
２４    反射面
２５    出射面
２６    段差部
２７    固定脚
３０    コーナーキューブプリズム
３１    第１のプリズム面
３２    第２のプリズム面
３３    第３のプリズム面
４０    点灯制御回路
５０    紫外線硬化樹脂層
１００    電子機器（携帯電話機）
１０１    カメラ用照明
１０２    カメラ
１０３    本体ケース
１０４    ケース開口
【図１】
2012169507.tif 000003
【図２】
2012169507.tif 000004
【図３】
2012169507.tif 000005
【図４】
2012169507.tif 000006
【図５】
2012169507.tif 000007
【図６】
2012169507.tif 000008
【図７】
2012169507.tif 000009
【図８】
2012169507.tif 000010
【図９】
2012169507.tif 000011
【図１０】
2012169507.tif 000012
【図１１】
2012169507.tif 000013